(57)【要約】【課題】本発明は、製造が容易なカメラを提供し、または、フレアが発生し難いカメラを提供する。【解決手段】本実施の形態のカメラは、少なくとも２箇所に設けられた凸状体１０１、１０２により構成される規制部材対を外周に設け、レンズ３０を保持するレンズ保持枠１０と、レンズ保持枠１０とカメラ本体とを電気的に接続する配線板２０とを備える。配線板２０は、電気的接続のための配線を配したフレキシブル基板２１と、フレキシブル基板２１の一部に貼り付けられた補強板２２とを備える。補強板２２の少なくとも一部を規制部材対の間に配置し、補強板２２の規制部材対間に配置された部分の両端を規制部材対で規制して配線板２２をレンズ保持枠１０に固定する。【選択図】図７
2006215420.tif 000002
【特許請求の範囲】
【請求項１】
少なくとも２箇所に設けられた凸状体により構成される規制部材対を外周に設け、レンズを保持するレンズ保持枠と、
前記レンズ保持枠とカメラ本体とを電気的に接続する配線板とを備えるカメラであって、
前記配線板は、電気的接続のための配線を配したフレキシブル基板と、前記フレキシブル基板の一部に貼り付けられた補強板とを備え、
前記補強板の少なくとも一部を前記規制部材対の間に配置し、前記補強板の前記規制部材対間に配置された部分の両端を前記規制部材対で規制して前記配線板を前記レンズ保持枠に固定する、カメラ。
【請求項２】
少なくとも２箇所に設けられた第２凸状体から構成される第２規制部材対を前記レンズ保持枠の外周にさらに設け、
前記補強板を、前記規制部材対で規制している方向とは別の方向にも前記第２規制部材対によって規制する、
請求項１に記載のカメラ。
【請求項３】
前記補強板の前記規制部材対間に配置された部分は、弾性変形された状態で前記規制部材対の間に配置され、
前記配線板は、前記補強板の前記規制部材対間に配置された部分の弾性力によって前記レンズ保持枠に固定される、
請求項１に記載のカメラ。
【請求項４】
前記規制部材対の少なくとも一方の凸状部材は、前記レンズ保持枠の外周と鋭角をなすように設けられる、
請求項１に記載のカメラ。
【請求項５】
レンズを保持するレンズ保持枠と、
前記レンズ保持枠とカメラ本体とを電気的に接続する配線板とを備えるカメラであって、
前記レンズの光軸と平行な方向に前記配線板を引き出す場合、自装置を正立姿勢で構えたときの前記レンズの水平中心線より上方で前記配線板を引き出す、カメラ。
【請求項６】
レンズを保持するレンズ保持枠と、
前記レンズ保持枠とカメラ本体との電気的に接続する配線板とを備えるカメラであって、
前記レンズの光軸と平行な方向に前記配線板を引き出す場合、前記レンズ中心からの法線と、前記光軸方向に引き出された配線板の表面に対する垂直線とが一致しないように、前記配線板を配置する、カメラ。
【発明の詳細な説明】
【技術分野】
【０００１】
本発明は、カメラの電気配線に関し、特に、カメラのレンズ鏡筒内のレンズ保持枠とカメラ本体とを配線板で接続するカメラにおいて、レンズ保持枠と配線板の固定方式に関する。
【背景技術】
【０００２】
従来、カメラを構成するレンズの一部を動かすことにより、手ブレを補正できるカメラが知られている。このようなカメラでは、レンズを動かしたり、レンズの位置を把握するために、レンズ保持枠とカメラ本体との間で信号のやり取りを行う必要がある。この信号のやり取りをフレキシキブル基板を用いて行うものが知られている（特に、特許文献１参照）。
【０００３】
特許文献１と同様な技術思想に基づくカメラを、図１０〜１２に基づいて説明する。図１０は、レンズ保持枠の外観斜視図である。図１１は、配線板１０２０がレンズ保持枠１０１０に固定されたときの姿勢を斜視図である。図１２は、レンズ保持枠１０１０に配線板１０２０を固定したときの状態を示す斜視図である。
【０００４】
図１０に示すように、レンズ保持枠１０１０の中央にレンズ（図示省略）が固定される。レンズ保持枠１０１０とカメラ本体（図示省略）とは、図１１に示す配線板１０２０によって、電気的に接続される。配線板１０２０は、規制ピン１１３０ｂによってレンズ保持枠１０１０に固定される。
【０００５】
配線板１０２０は、ポリイミド等の可撓性の材料を含む基板である。図１１に示すように、配線板１０２０は、保持枠側固定部１２１２と本体側固定部１２１３とを含み、保持枠側固定部１２１２と本体側固定部１２１３とを引き出し部１２１１を介して接続している。引き出し線１２１１の付け根には、規制孔１２３０ａ、１２３０ｂが設けられている。
【０００６】
配線板１０２０は、保持枠側固定部１２１２をレンズ保持枠１０１０に固定し、本体側固定部１２１３をカメラ本体（図示省略）に固定した上で、規制孔１２３０ａ、ｂをそれぞれ、図１２に示すように規制ピン１１３０ａ、ｂに差し込むことにより、レンズ保持枠１０１０およびカメラ本体（図示省略）に固定する。このように、規制孔１２３０ａ、ｂをレンズ保持枠１０１０に固定することにより、引き出し部１２１１を確実に固定することができる。
【特許文献１】特開２００２−２２９０９０号公報（特に、図１参照）
【発明の開示】
【発明が解決しようとする課題】
【０００７】
しかしながら、規制孔１２３０ａ、ｂをレンズ保持枠１０１０に固定するには、規制ピン１１３０ａ、ｂに差し込む必要があり、規制孔１２３０ａ、ｂが小さいため、作業が困難であった。そのため、カメラの製造効率を低くする原因となっていた。
【０００８】
また、従来のカメラは、引き出し部１２１１での光線の反射により、フレアが発生するという問題もあった。
【０００９】
そこで、本発明の目的は、上記の問題を解決すべく、製造が容易なカメラを提供することを目的とする。また、フレアが発生し難いカメラを提供することも目的とする。
【課題を解決するための手段】
【００１０】
上記目的を達成するために、第１の本発明のカメラは、少なくとも２箇所に設けられた凸状体により構成される規制部材対を外周に設け、レンズを保持するレンズ保持枠と、前記レンズ保持枠とカメラ本体とを電気的に接続する配線板とを備えるカメラであって、前記配線板は、電気的接続のための配線を配したフレキシブル基板と、前記フレキシブル基板の一部に貼り付けられた補強板とを備え、前記補強板の少なくとも一部を前記規制部材対の間に配置し、前記補強板の前記規制部材対間に配置された部分の両端を前記規制部材対で規制して前記配線板を前記レンズ保持枠に固定する。
【００１１】
この構成により、補強板は弾性力が高いため、容易に配線板をしっかりとレンズ保持枠に固定できる。そのため、カメラの製造を容易にできる。
【００１２】
第１の本発明のカメラは、少なくとも２箇所に設けられた第２凸状体から構成される第２規制部材対を前記レンズ保持枠の外周にさらに設け、前記補強板を、前記規制部材対で規制している方向とは別の方向にも前記第２規制部材対によって規制するようにしてもよい。この構成により、配線板を確実にレンズ保持枠に固定できる。そのため、カメラの製造を容易にできる。
【００１３】
第１の本発明のカメラは、前記補強板の前記規制部材対間に配置された部分は、弾性変形された状態で前記規制部材対の間に配置され、前記配線板は、前記補強板の前記規制部材対間に配置された部分の弾性力によって前記レンズ保持枠に固定されるようにしてもよい。この構成によって、補強板の弾性力を利用するので、従来のように煩雑な作業を伴うことなく、簡単に配線板をレンズ保持枠に固定できる。そのため、カメラの製造を容易にできる。
【００１４】
第１の本発明のカメラは、前記規制部材対の少なくとも一方の凸状部材は、前記レンズ保持枠の外周と鋭角をなすように設けられるようにしてもよい。この構成により、補強板を鋭角部分に差し込んで固定できるので、配線板の固定作業を容易にできる。
【００１５】
また、第２の発明のカメラは、レンズを保持するレンズ保持枠と、前記レンズ保持枠とカメラ本体とを電気的に接続する配線板とを備えるカメラであって、前記レンズの光軸と平行な方向に前記配線板を引き出す場合、自装置を正立姿勢で構えたときの前記レンズの水平中心線より上方で前記配線板を引き出す。この構成により、フレアを発生し難くすることができる。
【００１６】
また、第３の発明のカメラは、レンズを保持するレンズ保持枠と、前記レンズ保持枠とカメラ本体との電気的に接続する配線板とを備えるカメラであって、前記レンズの光軸と平行な方向に前記配線板を引き出す場合、前記レンズ中心からの法線と、前記光軸方向に引き出された配線板の表面に対する垂直線とが一致しないように、前記配線板を配置する。この構成によっても、フレアを発生し難くすることができる。
【発明の効果】
【００１７】
上記の構成によれば、製造が容易なカメラを提供できる。また、フレアが発生し難いカメラを提供できる。
【発明を実施するための最良の形態】
【００１８】
（実施の形態）
１．概要
本発明は、カメラの電気配線に関するものである。より詳細には、カメラのレンズ鏡筒内のレンズ保持枠１０とカメラ本体とを配線板２０で接続するカメラにおいて、レンズ保持枠１０と配線板２０の固定方式に関するものである。本発明によれば、配線板２０を容易にレンズ保持枠１０に固定できるため、カメラの製造を容易にできる。
【００１９】
レンズ保持枠１０は、例えば、光学手ブレ補正の際の補正レンズを保持するための保持枠などである。インナーシフト方式の手ブレ補正の場合、補正レンズを駆動する必要がある。そのためには、それを保持するレンズ保持枠にアクチュエータを設け、このアクチュエータに電力を供給する必要がある。アクチュエータへの電力供給のために、レンズ保持枠とカメラ本体とが配線板により接続されるのである。
【００２０】
しかし、本発明は、光学手ブレ補正機能付きのカメラに限定されるものではなく、レンズ保持枠１０とカメラ本体とを配線板２０で接続するカメラに、広く適用可能である、
２．レンズ保持枠の構成
図１にレンズ保持枠１０の外観斜視図を示す。レンズ保持枠１０は、レンズ鏡筒の中にあって、レンズ３０レンズ保持枠１０の外周には、第１凸状体１０１および第２凸状体１０２が設けられている。第１凸状体１０１および第２凸状体１０２の付け根の内互いに対向する方向のものを、それぞれ第１規制部１１１、第２規制部１１２という。また、第１凸状体１０１と第２凸状体１０２との間の空間を格納部１１６という。したがって、格納部１１６は、レンズ保持枠１０の外周の一部であるといえる。レンズ保持枠１０の中心は、レンズ（図示省略）を取り付け可能である。このレンズ保持枠１０は、レンズ鏡筒（図示省略）に、図１に示す姿勢で取り付けられる。すなわち、図１に示す上方が、カメラを正姿勢に構えたときの上方に一致し、図１に示す下方が、カメラを正姿勢に構えたときの下方に一致する。
【００２１】
図２は、レンズ保持枠１０の模式的な平面図である。第１凸状体１０１は、レンズ保持枠１０の外周と鋭角をなすように設けられている。すなわち、規制部１１１は、鋭角に形成されており、ポケット状に形成されている。また、第１凸状体１０１の先端には、突起状の押さえ部１０１ａが形成されている。これは、後述するが、格納部１１６に格納された配線板２０を押さえるためのものである。この押さえ部１０１ａのために、配線板２０を格納部１１６から外れ難くすることができる。
【００２２】
図３は、格納部１１６の模式的な側面図である。格納部１１６の下辺に第３凸状体１０３を設ける。そして、第３凸状体１０３によって形成される規制部を第３規制部１１３という。また、第２凸状体１０２の下辺を第４規制部１１４という。上記のように、第３凸状体１０３および第２凸状体１０２は、レンズ保持枠１０の外周に設けられている。
【００２３】
なお、第１凸状体１０１と第２凸状体１０２は、本発明の凸状体の一例である。第１凸状体１０１および第２凸状体１０２から構成される規制部材対は、本発明の規制部材対の一例である。第３凸状体１０３および第２凸状体１０２は、本発明の第２凸状体の一例である。第３凸状体１０３および第２凸状体１０２から構成される規制部材対は、本発明の第２規制部材対の一例である。
【００２４】
３．配線板の構成
図４に、レンズ保持枠１０に組み込む前の配線板２０の平面図を示す。配線板２０は、フレキシブル基板２１と補強板２２とからなる。その他の抵抗等の部材を予めフレキシブル基板２１に搭載しておいてもよい。
【００２５】
フレキシブル基板２１には、配線を形成する。この配線は、レンズ保持枠１０とカメラ本体とを電気的に接続するためのものである。図４に示す、保持枠側固定部２１２をレンズ保持枠１０に固定し、本体側固定部２１３をカメラ本体に固定する。フレキシブル基板は、可撓性の材料からなり、例えばポリイミド等を材料とする。また、配線は銅等を用いて構成する。フレキシブル基板２１は、打ち抜きなどにより、マスター基板から分離される。
【００２６】
フレキシブル基板２１の一部に補強板２２を貼り付ける。補強板２２の貼り付けは、接着剤等を用いて行う。補強材２２の材料は、ポリエチレンテレフタレート（ＰＥＴ）であるが、これに限らず、例えば、ポリカーボネート（ＰＣ）やポリイミド等であってもよい。このようにフレキシブル基板２１に補強板２２を貼り付けることにより、補強板２２を貼り付けた部分の弾性を貼り付けていない部分に比べて高くすることができる。補強板２２は、第１辺２２１と第２辺２２２、および第３辺２２３と第４辺２２４とがそれぞれ対向するようにして、複数の辺を有している。ここで、第３辺２２３、第４辺２２４は、第１辺２２１、第２辺２２２と平行にならないよう形成する。
【００２７】
保持枠側固定部２１２と本体側固定部２１３との間には、折り返し部２１４および引き出し部２１１を形成する。図示する通り、保持枠側固定部２１２から基板を引き出して、折り返すことにより折り返し部２１４を形成する。折り返し部２１４の延長部に、引き出し部２１１を形成し、引き出し部２１１の延長部に本体側固定部２１３を形成する。
【００２８】
４．配線板のレンズ保持枠への固定
図５は、レンズ保持枠１０に配線板２０を固定した際の斜視図である。このときの配線板２０の状態を分かりやすくするため、配線板２０のみを示した斜視図を図６に示す。また、このときのレンズ保持枠１０の模式的な平面図を図７に示し、格納部１１６の模式的な側面図を図８に示す。
【００２９】
配線板２０を図５に示すように固定するには、まず、図６に示す保持枠側固定部２１２をレンズ保持枠１０に固定する。そして、図４に示す本体側固定部２１３をカメラ本体（図示省略）に固定する。保持枠側固定部２１２および本体側固定部２１３の固定は、レンズ保持枠１０やカメラ本体（図示省略）に設けられたボスに配線板２０上の固定孔を軽圧入し、半田付けをすることによって行う。但し、ネジ（図示省略）などで固定しても構わない。
【００３０】
この状態では、折り返し部２１４および引き出し部２１１が固定されていない。そこで、折り返し部２１４を次の手順でレンズ保持枠１０に固定する。まず、補強板２２の第１辺２２１が第１規制部１１１で規制されるようにして配置する。すなわち、第１辺２２１を第１規制部１１１のポケット状の空間に差し込む。次に、第２辺２２２が第２規制部１１２で規制されるようにして配置する。また、図８に示すように、第２辺２２２を規制するのと同時に、第３辺２２３が第３規制部１１３で規制され、第４辺２２４が第４規制部１１４で規制されるようにする。このようにして、折り返し部２１４をレンズ保持枠１０に固定できるため、従来のようにレンズ保持枠の規制ピンに配線板の規制孔を通すなどの作業を不要にすることができるので、容易に製造できる。
【００３１】
ここで、上記の手順で折り返し部２１４がレンズ保持枠１０に固定される仕組みについて詳述する。第１辺２２１から第２辺までの長さは、第１規制部１１１から第２規制部１１２までの長さよりも長く設定されている。そのため、上記のように、補強板２２の第１辺２２１が第１規制部１１１で規制され、第２辺２２２が第２規制部１１２で規制されるように配置すると、補強板２２を撓んだ状態で配置することになる。そのときの状態を図７に示す。補強板２２は、第１凸状体１０１と第２凸状体１０２とから構成される規制部材対の間に配置される。補強板２２は、撓んでいる、すなわち弾性変形している。補強板２２は、弾性変形の範囲で変形すると、元の平坦な状態に戻ろうとする力が発生する。この弾性力は第１凸状体１０１および第２凸状体１０２に対して働く。そのため、補強板２２の両端（第１辺２２１および第２辺２２２）を規制部材対で規制することによって、補強板２２の弾性力によって配線板２０をレンズ保持枠１０に固定することができる。なお、補強板２２は、押さえ部１０１ａで押さえられ、格納部１１６からはずれ難くなっている。
【００３２】
また、補強板２２は、第２規制部材対（第３凸状体１０３および第２凸状体１０２）の間に配置されている。これにより、補強板２２は、第１凸状体１０１と第２凸状体１０２で規制している方向（図８における水平方向）とは別の方向（図８における垂直方向）にも規制される。そのため、補強板２２が格納部１１６から外れ難くすることができる。
【００３３】
５．フレア対策
５−１．フレアの定義
フレアとは、カメラの撮像素子に必要な光学信号以外の余分な光線が入射し、画像を劣化させる現象である。本実施の形態によれば、このフレアの発生も対策できる。
【００３４】
５−２．引き出し部２１１の配置場所
図８から明らかなように、配線板２０は、第１凸状体１０１と第２凸状体１０２との間で１往復するように、第１規制部１１１で折り返され、折り返し部２１４が形成さている。これにより、レンズ（図示省略）の光軸と平行な方向に配線板２０を引き出す場合、カメラを正立姿勢で構えたときのレンズ（図示省略）の水平中心線より上方で配線板２０を引き出すことができる。すなわち、図５、７は、カメラを正立姿勢で構えたときのそれぞれ斜視図と平面模式図であるが、図５、７に示すように、折り返し部２１４を形成したため、引き出し部２１１をレンズ（図示省略）の水平中心線より上方に配置することができる。この引き出し部２１１の配置により、フレアの発生を対策することができる。
【００３５】
引き出し部２１１を、カメラを正立姿勢で構えたときに、レンズ（図示省略）の水平中心線より上方に配置することにより、フレアの発生対策となる理由を詳述する。通常、カメラを正立姿勢で構えると、太陽や蛍光灯などの光源は、カメラよりも上方に位置する場合が多い。一方、レンズ鏡筒（図示省略）内に入り込んだ光線は、引き出し部２１１の表面で反射することにより、フレアを生じさせる場合がある。そこで、本実施の形態のように、引き出し線２１１をレンズ（図示省略）の水平中心線より上方に配置することにより、引き出し部２１１表面で入射光が反射する確率を低くすることができる。このため、フレアの発生確率を低くすることができるので、フレア発生の対策となる。
【００３６】
５−３．引き出し部２１１の配置姿勢
また、引き出し部２１１の配置姿勢によっても、フレア発生の対策をすることができる。
【００３７】
図９は、引き出し部２１１の配置姿勢を強調した模式的な平面図である。図９（ａ）は、本実施の形態のカメラの平面模式図であり、図９（ｂ）は、比較例を示す平面模式図である。図９（ａ）、図９（ｂ）において、レンズ（図示省略）中心からの法線および配線板の表面に対する垂直線を破線ｎ１、ｎ２でそれぞれ示す。
【００３８】
図９（ａ）に示すように、本実施の形態では、法線ｎ１と垂直線ｎ２とは一致しないように引き出し部２１１が配置されている。このように配置することにより、光線が引き出し部２１１で反射したとしても、レンズ３０中心に向けて反射する確率は低くすることができる。フレアの原因となる入射光は、レンズ３０中心から入射される確率が高いからである。このため、フレア発生の対策となる。
【００３９】
これに対して、図９（ｂ）に示すように、法線ｎ１および垂直線ｎ２が一致したのでは、光線がレンズ３０中心に向けて反射する確率が高くなる。上述したように、フレアの原因となる入射光は、レンズ３０中心から入射される確率が高いからである。
【００４０】
６．まとめ
本実施の形態のカメラは、少なくとも２箇所に設けられた凸状体１０１、１０２により構成される規制部材対を外周に設け、レンズ３０を保持するレンズ保持枠１０と、レンズ保持枠１０とカメラ本体とを電気的に接続する配線板２０とを備える。配線板２０は、電気的接続のための配線を配したフレキシブル基板２１と、フレキシブル基板２１の一部に貼り付けられた補強板２２とを備える。補強板２２の少なくとも一部を規制部材対の間に配置し、補強板２２の規制部材対間に配置された部分の両端を規制部材対で規制して配線板２２をレンズ保持枠１０に固定する。
【００４１】
また、本実施の形態のカメラは、少なくとも２箇所に設けられた第２凸状体１０３、１０２から構成される第２規制部材対をレンズ保持枠１０の外周にさらに設け、補強板２０を、規制部材対で規制している方向（光軸と垂直な方向）とは別の方向（光軸と平行な方向）にも第２規制部材対によって規制する。
【００４２】
また、本実施の形態のカメラは、補強板２２の規制部材対間に配置された部分（折り返し部２１４）は、弾性変形された状態で規制部材対の間に配置され、配線板２０は、補強板２２の規制部材対間に配置された部分の弾性力によってレンズ保持枠１０に固定される。
【００４３】
また、本実施の形態の第１凸状体１０１は、レンズ保持枠の外周と鋭角をなすように設けられる。これにより、第１規制部１１１がポケット状の形状となり、その部分に補強板２２を挟むことができる。
【００４４】
また、本実施の形態のカメラは、レンズ３０を保持するレンズ保持枠１０と、レンズ保持枠１０とカメラ本体とを電気的に接続する配線板２０とを備えるカメラである。レンズ３０の光軸と平行な方向に配線板２０を引き出す場合、自装置を正立姿勢で構えたときのレンズ３０の水平中心線より上方で配線板２０を引き出す。
【００４５】
また、本実施の形態のカメラは、レンズ３０を保持するレンズ保持枠１０と、レンズ保持枠１０とカメラ本体との電気的に接続する配線板２０とを備える。レンズ３０の光軸と平行な方向に配線板２０を引き出す場合、レンズ３０中心からの法線ｎ１と、光軸方向に引き出された配線板２０の表面に対する垂直線ｎ２とが一致しないように、配線板２０を配置する。
【００４６】
なお、本実施の形態では、補強板２２の両端（第１辺２２１および第２辺２２２）を規制する構成としたが、これには限らない。例えば、補強板２２の一部を規制部材対の間に配置し、補強板２２の規制部材対間に配置された部分の両端を規制部材対で規制して配線板２０をレンズ保持枠１０に固定するようにしてもよい。
【００４７】
また、本実施の形態では、第１規制部１１１をポケット状の形状としたが、これに限らない。例えば、第１規制部１１１を直角形状に構成してもよい。ただし、第１規制部１１１を本実施の形態のようにポケット状の形状とすると、その部分に補強板２２を簡単に挟み込むことができるので、補強板２２を容易に固定することができる。
【産業上の利用可能性】
【００４８】
本発明は、カメラの電気配線に関し、特に、カメラのレンズ鏡筒内のレンズ保持枠とカメラ本体とを配線板で接続するカメラにおいて、レンズ保持枠と配線板の固定方式に関するものであって、製造が容易なカメラを提供でき、または、フレアが発生し難いカメラを提供できる。そのため、本発明は、デジタルスチルカメラやデジタルビデオカメラ、アナログカメラ、フィルムカメラ、カメラ付き携帯電話端末、カメラ付き端末等に適用できる。
【図面の簡単な説明】
【００４９】
【図１】本実施の形態にかかるレンズ保持枠の斜視図
【図２】本実施の形態にかかるレンズ保持枠の平面模式図
【図３】本実施の形態にかかるレンズ保持枠の側面模式図
【図４】本実施の形態にかかる配線板の平面図
【図５】本実施の形態にかかるレンズ保持枠に配線板を固定したときの斜視図
【図６】本実施の形態にかかるレンズ保持枠に配線板を固定したときの配線板の姿勢を示す斜視図
【図７】本実施の形態にかかるレンズ保持枠に配線板を固定したときの平面模式図
【図８】本実施の形態にかかるレンズ保持枠に配線板を固定したときの側面模式図
【図９】本実施の形態にかかるレンズ保持枠に配線板を固定したときの平面模式図
【図１０】従来のレンズ保持枠の斜視図
【図１１】従来のレンズ保持枠に配線板を固定したときの配線板の姿勢を示す斜視図
【図１２】従来のレンズ保持枠に配線板を固定したときの斜視図
【符号の説明】
【００５０】
１０    レンズ保持枠
１０１    第１凸状体
１０２    第２凸状体
１０３    第３凸状体
２０    配線板
２１    フレキシブル基板
２１１    引き出し部
２１４    折り返し部
２２    補強板
３０    レンズ
【図１】
2006215420.tif 000003
【図２】
2006215420.tif 000004
【図３】
2006215420.tif 000005
【図４】
2006215420.tif 000006
【図５】
2006215420.tif 000007
【図６】
2006215420.tif 000008
【図７】
2006215420.tif 000009
【図８】
2006215420.tif 000010
【図９】
2006215420.tif 000011
【図１０】
2006215420.tif 000012
【図１１】
2006215420.tif 000013
【図１２】
2006215420.tif 000014